(57)【要約】【課題】レジ袋などの手提げ部のループ径が小さい手提げバッグだけでなく、エコバッグなどの手提げ部のループ径が大きい手提げバッグもその上部開口部を開口状態にして保持可能なバッグホルダーを提供すること。【解決手段】左右の支柱４に、この支柱４の上下方向に間隔を置いて手提げバッグＢの手提げ部２を掛止可能な補助掛止部６を複数並設状態に設けて、手提げ部２のループ径が大きくこの手提げ部２を通常の掛止部５に掛止しても上部開口部１を開口状態に保持できない手提げバッグＢは、この手提げ部２をそのループ径に応じて複数の補助掛止部６に選択掛止し得るように構成したバッグホルダー。【選択図】図１
2010253050.tif 000002
【特許請求の範囲】
【請求項１】
上部開口部の左右対向位置にループ状の手提げ部を備えた手提げバッグを、その上部開口部を開口状態にして保持し得るバッグホルダーであって、接地部の左右に支柱を立設し、この左右の支柱の上部に、前記手提げバッグの手提げ部を掛止可能な掛止部を設けて、この左右の掛止部に前記左右の手提げ部を夫々掛止することにより、この手提げバッグの前記上部開口部が開口状態に保持されるように構成したバッグホルダーにおいて、前記左右の支柱に、この支柱の上下方向に間隔を置いて前記手提げバッグの手提げ部を掛止可能な補助掛止部を複数並設状態に設けて、手提げ部のループ径が大きくこの手提げ部を前記掛止部に掛止しても前記上部開口部を開口状態に保持できない手提げバッグは、この手提げ部をそのループ径に応じて前記複数の補助掛止部に選択掛止し得るように構成したことを特徴とするバッグホルダー。
【請求項２】
前記接地部の後側左右部に前記支柱を立設し、この左右の支柱に、この支柱の上下方向に間隔を置いて前記補助掛止部を複数並設状態に設け、この左右の支柱の上部に前方へ向けて掛下腕部を突設し、この左右の掛下腕部に前記掛止部を設けたことを特徴とする請求項１記載のバッグホルダー。
【請求項３】
前記接地部は板状に形成し、この接地部の下面に滑り止め材を設け、この接地部の上面にクッション材を敷設状態に設けてこのクッション材上に前記手提げバッグを載置し得るように構成したことを特徴とする請求項１，２のいずれか１項に記載のバッグホルダー。
【請求項４】
上下方向に間隔を置いて前記補助掛止部を複数並設状態に備えた取付体を、前記支柱に付設したことを特徴とする請求項１〜３のいずれか１項に記載のバッグホルダー。
【請求項５】
前記補助掛止部は、前記手提げバッグの手提げ部を掛止し得るフック形状に形成すると共に、フック先端が下向きとなるフック形状に形成したことを特徴とする請求項１〜４のいずれか１項に記載のバッグホルダー。
【発明の詳細な説明】
【技術分野】
【０００１】
本発明は、例えば、スーパーマーケットのレジカウンターやアウトカウンターに設置して使用するもので、商品の袋詰めの際にレジ袋やエコバッグなどの手提げバッグをその上部開口部を開口状態にして保持できるバッグホルダーに関するものである。
【背景技術】
【０００２】
発明者は、手提げバッグの上部開口部を開口状態にして保持できるバッグホルダーを開発した（下記特許文献１）。
【０００３】
この特許文献１を簡単に説明すると、接地部の後側左右部に支柱を立設し、この左右の支柱の上部に前方へ向けて掛下腕部を突設し、この左右の掛下腕部に前記手提げバッグの手提げ紐を掛止可能な掛止部を設けた構造であって、このバッグホルダーの左右の掛止部に手提げバッグの左右の手提げ紐を夫々掛止すると、手提げバッグの上部開口部が開口状態に保持されるので、例えばスーパーマーケットでの商品の袋詰め作業にこのバッグホルダーを用いれば、上部開口部が開口状態に保持されたレジ袋内に簡単に商品を詰めることができて非常に実用的である。
【先行技術文献】
【特許文献】
【０００４】
【特許文献１】特開２００７−１４３９１４号公報
【発明の概要】
【発明が解決しようとする課題】
【０００５】
環境問題が深刻化しつつある昨今は、様々な環境保護への取り組みが行われている。
【０００６】
その環境保護活動の最も身近な例の一つとして、消費者にエコバッグと称される（マイバッグとも称される）自前の買い物袋を買い物の際に持参するよう呼びかけて、店側が提供するレジ袋を削減しようとする運動が行われている。そして、エコバッグ利用者には特典を設けるなどの店側の努力の甲斐もあって、エコバッグ使用率が増加傾向にある。
【０００７】
ところで、エコバッグは、肩掛け使用などの実用性も配慮されているため、手提げ紐がレジ袋のそれと比べて非常に長く設定されているものが多い。
【０００８】
してみると、前記特許文献１のバッグホルダーは、主にレジ袋のような手提げ紐が比較的短い手提げバッグの利用をターゲットに設計されたものであったために、手提げ紐が長いエコバッグでは、長い手提げ紐を掛止部に掛止しても簡単にたるんでしまい、上部開口部を良好な開口状態に保持することができなかった。
【０００９】
本発明は、このような現状に鑑み、これを解決しようとするためのもので、前記特許文献１に簡単な改良を施すことによって、これまでと同様にレジ袋などの手提げ紐が短い手提げバッグはもちろん、エコバッグなどの手提げ紐が長い手提げバッグ利用時にもその上部開口部を良好な開口状態にして保持可能となる画期的なバッグホルダーを提供するものである。
【課題を解決するための手段】
【００１０】
添付図面を参照して本発明の要旨を説明する。
【００１１】
上部開口部１の左右対向位置にループ状の手提げ部２を備えた手提げバッグＢを、その上部開口部１を開口状態にして保持し得るバッグホルダーＨであって、接地部３の左右に支柱４を立設し、この左右の支柱４の上部に、前記手提げバッグＢの手提げ部２を掛止可能な掛止部５を設けて、この左右の掛止部５に前記左右の手提げ部２を夫々掛止することにより、この手提げバッグＢの前記上部開口部１が開口状態に保持されるように構成したバッグホルダーＨにおいて、前記左右の支柱４に、この支柱４の上下方向に間隔を置いて前記手提げバッグＢの手提げ部２を掛止可能な補助掛止部６を複数並設状態に設けて、手提げ部２のループ径が大きくこの手提げ部２を前記掛止部５に掛止しても前記上部開口部１を開口状態に保持できない手提げバッグＢは、この手提げ部２をそのループ径に応じて前記複数の補助掛止部６に選択掛止し得るように構成したことを特徴とするバッグホルダーに係るものである。
【００１２】
また、前記接地部３の後側左右部に前記支柱４を立設し、この左右の支柱４に、この支柱４の上下方向に間隔を置いて前記補助掛止部６を複数並設状態に設け、この左右の支柱４の上部に前方へ向けて掛下腕部７を突設し、この左右の掛下腕部７に前記掛止部５を設けたことを特徴とする請求項１記載のバッグホルダーに係るものである。
【００１３】
また、前記接地部３は板状に形成し、この接地部３の下面に滑り止め材８を設け、この接地部３の上面にクッション材９を敷設状態に設けてこのクッション材９上に前記手提げバッグＢを載置し得るように構成したことを特徴とする請求項１，２のいずれか１項に記載のバッグホルダーに係るものである。
【００１４】
また、上下方向に間隔を置いて前記補助掛止部６を複数並設状態に備えた取付体10を、前記支柱４に付設したことを特徴とする請求項１〜３のいずれか１項に記載のバッグホルダーに係るものである。
【００１５】
また、前記補助掛止部６は、前記手提げバッグＢの手提げ部２を掛止し得るフック形状に形成すると共に、フック先端が下向きとなるフック形状に形成したことを特徴とする請求項１〜４のいずれか１項に記載のバッグホルダーに係るものである。
【発明の効果】
【００１６】
本発明は上述のように構成したから、レジ袋のように比較的ループ径の小さい手提げ部を備えた手提げバッグの上部開口部の開口状態保持のために利用できるだけでなく、エコバッグのようにループ径の大きい手提げ部を備えた手提げバッグも、その上部開口部を開口状態にして保持できるバッグホルダーとなり、しかも本発明は、前記特許文献１に対して、実質的に左右の支柱に上下方向に間隔を置いて補助掛止部を複数並設状態に設ける構造を追加することで構成可能となるので、簡易に設計実現可能であるなど、極めて実用性に秀れた画期的なバッグホルダーとなる。
【００１７】
また、請求項２記載の発明においては、接地部上方であって左右の掛下腕部間に手提げバッグを安定的に配設可能となり、しかも、左右の支柱を接地部の後側左右部に立設して複数の補助掛止部を後側に配置したから、この補助掛止部へ手提げバッグの手提げ部を掛止する際には手提げ部を後方へ引きながら掛まわすことになるので、この手提げ部が補助掛止部に掛止するまでの距離が一層長くなって手提げ部のたるみを確実に解消できることとなるなど、極めて実用性に秀れたバッグホルダーとなる。
【００１８】
また、請求項３記載の発明においては、滑り止め材によって接地部が滑り止め状態で接地するから、保持した手提げバッグがバッグホルダーごと動いてしまうような不都合がなく、手提げバッグ内への物の収納作業を容易に行うことができ、しかも、手提げバッグがクッション材上に載置可能であるから、手提げバッグ内に物を収納する際に万一落としてしまっても、その落下衝撃がクッション材によって緩和されて収納物の破壊などの不都合が可及的に防止されるなど、一層実用性に秀れた構成のバッグホルダーとなる。
【００１９】
また、請求項４記載の発明においては、支柱への直接加工を要することなく、複数の補助掛止部を支柱に設けることが可能となる製作容易な構成となり、しかも、既存のバッグホルダーに対して補助掛止部を後付けする構成も簡易に設計実現可能となるなど、一層実用性に秀れた構成のバッグホルダーとなる。
【００２０】
また、請求項５記載の発明においては、補助掛止部を下向きのフック形に形成したから、この補助掛止部に掛止した手提げ部が簡単に外れてしまうようなことがなく、この手提げ部の掛止状態が安定的に保持されて手提げバッグの上部開口部の開口状態が良好に保持されることになる一層実用性に秀れた構成のバッグホルダーとなる。
【図面の簡単な説明】
【００２１】
【図１】本実施例を示す斜視図である。
【図２】本実施例を示す正面図である。
【図３】本実施例の、取付体を分解した状態の斜視図である。
【図４】本実施例の取付体並びにこの取付体の取付構造を示す部分拡大分解斜視図である。
【図５】本実施例の設置例を示す概略説明斜視図である。
【図６】本実施例のレジ袋の使用状態を示す説明斜視図である。
【図７】本実施例のエコバッグの使用状態を示す説明斜視図である。
【発明を実施するための形態】
【００２２】
好適と考える本発明の実施形態（発明をどのように実施するか）を、図面に基づいて本発明の作用を示して簡単に説明する。
【００２３】
例えば、スーパーマーケットなどで提供されるレジ袋Ｂ１のように比較的ループ径の小さい手提げ部２を備えた手提げバッグＢを利用する場合は、手提げバッグＢの上部開口部１の左右対向位置に備えられたループ状の手提げ部２を、バッグホルダーＨの左右の掛止部５に夫々掛止する。
【００２４】
すると、手提げバッグＢの左右の手提げ部２の夫々が、掛止した左右の掛止部５方向に引っ張られるような状態となるので、手提げバッグＢの上部開口部１も左右の掛止部５方向に引っ張られるような状態となって開口状態に保持されることになる。
【００２５】
一方、エコバッグＢ２のように手提げ部２のループ径がレジ袋Ｂ１に比して大きく、この手提げ部２を前記掛止部５に掛止しても簡単にたるんでしまって上部開口部１を開口状態に保持できない手提げバッグＢを利用する場合は、その手提げ部２のループ径に応じて、左右の支柱４の上下方向に間隔を置いて複数並設する補助掛止部６に夫々左右の手提げ部２を選択して掛止することで、ループ径の大きい手提げ部２のたるみを解消できる。
【００２６】
即ち、掛止部５に掛止しようと伸ばした手提げバッグＢの手提げ部２を、更に支柱４の上下方向に並設する補助掛止部６へと掛まわすようにすることによってこの手提げ部２が補助掛止部６に掛止するまでの距離が長くなるので、手提げ部２のたるみが解消されて上部開口部１を開口状態にして保持できることとなる。
【００２７】
従って、本発明のバッグホルダーＨによれば、レジ袋Ｂ１のようにループ径の小さい手提げ部２を備えた手提げバッグＢも、エコバッグＢ２のようにループ径の大きい手提げ部２を備えた手提げバッグＢも、その上部開口部１を開口状態にして保持できる。そして、上部開口部１が開口状態に保持された手提げバッグＢ内に、その上部開口部１を介して物を詰めたり、逆に手提げバッグＢ内に収納されていた物を出したりする作業が極めて容易に行われることになる。
【００２８】
また、本発明は、前記特許文献１に対して、左右の支柱４に上下方向に間隔を置いて補助掛止部６を複数並設状態に設ける構造を追加することで構成可能となるので、この構成は簡易に設計実現可能である。
【実施例】
【００２９】
本発明の具体的な実施例について図面に基づいて説明する。
【００３０】
本実施例は、上部開口部１の左右対向位置にループ状の手提げ部２を備えた手提げバッグＢを、その上部開口部１を開口状態にして保持し得るバッグホルダーＨであって、図１に示すように、接地部３の左右に支柱４を立設し、この左右の支柱４の上部に、水平方向に長さを有する掛下腕部７を設け、この左右の掛下腕部７に、前記手提げバッグＢの手提げ部２を掛止可能な掛止部５を上方へ向けて突設している。
【００３１】
具体的には、接地部３は、矩形状の金属製平板材で構成し、その後縁部を上方へ直角に折曲形成してこの折曲片部を高さのない立ち上げ壁11としている。
【００３２】
また、図２に示すように、この接地部３の下面には、平板状の滑り止め材８を重合状態に付設して接地時に滑り止め機能を発揮するように構成し、接地部３の上面には、平板状のクッション材９を重合敷設状態に付設してこのクッション材９上に前記手提げバッグＢを載置し得るように構成している。
【００３３】
本実施例では、この接地部３の後側左右部に前記支柱４を立設している。
【００３４】
支柱４は、金属やプラスチックにより成形された丸棒材を用いて構成し、この支柱４の底面を接地部３上面の後縁部に接着すると共に、支柱４の側面部を前記立ち上げ壁11の前壁面に沿わせて接着することで、接地部３の上面に対し支柱４を直角立設状態に付設している。
【００３５】
また、この左右の支柱４を構成する左右の丸棒材は、その上端部を直角前方へ向けて略水平に折曲すると共に、この水平折曲部分の先端部が前記接地部３の前縁部付近に位置するように設けて、この丸棒材の水平部分を前記掛下腕部７としている。
【００３６】
また、この掛下腕部７の先端部は、下方へ弧状に折り返し折曲して弧状部12を一体に形成している。この掛下腕部７の先端部を弧状部12としたことで、この弧状部12に作業時に手先や指先などが衝突しても、その衝撃が緩衝されて大きな怪我が生じにくい。
【００３７】
また、この弧状部12の先端部（下端部）は、前記掛下腕部７の下方で後方に向けて且つこの掛下腕部７とは非平行に突設して前記支柱４の前面に沿設させている。この掛下腕部７の下方に非平行に存する丸棒材部分は、掛下腕部７を支持する支持桟13として機能して掛下腕部７の上下方向へのグラつきを防止する構成としている。
【００３８】
また、この補強桟13の先端部は、補強支柱17として機能するように支柱４の前面に沿って所定長さ下方へ突設した後、その先端部を前斜め下方へ向けて折曲して前記接地部３の上面に接着し、この前斜め下方に向かって斜設する丸棒材の先端部分が、支柱４を支持する方杖14として機能して支柱４の前後方向へのグラつきを防止する構成としている。
【００３９】
また、本実施例では、前記左右の掛下腕部７に前記掛止部５を設けた構成としている。
【００４０】
掛止部５は、丸棒材を略下向きコ字状に折曲形成して構成し、この掛止部５を各掛下腕部７と各補強桟13との外面に付設（容着）している。
【００４１】
また、この掛止部５は、その上部が掛下腕部７より上方へ突出するようにして付設すると共に、この左右の掛止部５の掛下腕部７より上方部分を夫々の対向外側に向けて傾斜折曲して、この左右の掛止部５がその上側部程左右の対向間隔を広くなるように構成している。
【００４２】
従って、この左右の掛止部５に手提げバッグＢの左右の手提げ部２を上方から掛止すると、この左右の手提げ部２が、上側程対向間隔が広くなる左右の掛止部５から簡単に上方へは抜脱できない構成としている。
【００４３】
また、本実施例では、前記左右の支柱４間の上方寄りに、二本の補強桟15を平行に架設して各支柱４の左右方向へのグラつきを防止する構成としている。
【００４４】
また、この二本の補強桟15の前面の中央に、略上向きコ字状をなすフック16を容着している。このフック16には、例えば、レジ袋Ｂ１に形成された切り込み孔（スリット）などを利用して、複数重合状態にした使用予備のレジ袋Ｂ１を吊持しておくことができる。図中符号26はフック16に吊持したレジ袋Ｂ１を前方へ押し出して利用者がこのレジ袋Ｂ１をフック16から取り外し易くするためのガイド棒である。
【００４５】
本実施例では、前記左右の支柱４に、この支柱４の上下方向に間隔を置いて手提げバッグＢの手提げ部２を掛止可能な補助掛止部６を複数並設状態に設けて、手提げ部２のループ径が大きくこの手提げ部２を前記掛止部５に掛止しても上部開口部１を開口状態に保持できない手提げバッグＢは、この手提げ部２をそのループ径に応じて前記複数の補助掛止部６に選択掛止し得るように構成している。
【００４６】
具体的には、図３に示すように、上下方向に間隔を置いて前記補助掛止部６を複数並設状態に備えた取付体10を、前記支柱４に付設した構成としている。
【００４７】
取付体10は、図４に示すように、上下方向に長さを有する金属製の帯状板材で構成し、この板材の長手方向の両側縁を互いに逆方向に向けて略直角に折曲し、この両側の折曲片のうちの一側折曲片18には、下向きフック形状をなす前記補助掛止部６を上下方向に複数並設状態にしてこの一側折曲片18から一体に突設している。更に詳しくは、図面では、取付体10の上部から中程にかけての四箇所に補助掛止部６を突設している。
【００４８】
また、この取付体10の中間板部22の、前記補助掛止部６の突設方向に対する反対側の板面の上下部に、取付体10の他側折曲部19と横方向に間隔を置いて、板材を所定形状に折曲して成る支柱ガイド20を付設して、この支柱ガイド20と他側折曲片19とで前記支柱４の上下部を収納状態に沿設し得る断面コ字形の沿設溝部27を形成し、更にこの中間板部22の中程から、前記沿設溝部27に支柱４を沿設収納した際に、前記補強支柱17に沿設する沿設部21を前記補助掛止部６の突設方向の反対側に切り起こし形成している。
【００４９】
本実施例では、このように構成した取付体10を、対象形状のものを一対用意し、この一対の取付体10を、その補助掛止部６が左右の支柱４の対向外側に向かって突出するようにして左右の支柱４に夫々付設している。
【００５０】
また、この取付体10の支柱４への付設構造は、先ず、取付体10を支柱４に沿わせて、この支柱４の上下部を前記沿設溝部27に沿設収納すると共に前記沿設部21に前記補強支柱17を沿設し、次いで、前記支柱ガイド20に、板材を所定形状に折曲して成る固定具23を前記沿設溝部27の溝開口部分が存する方向から被せて沿設溝部27の溝開口部分を閉塞し、この閉塞状態の固定具23を、ネジ24やボルトなどの螺着具24（図面はネジ24を採用している。）で支柱ガイド20にネジ24止めすることで、支柱４から抜け止め状態に付設した構造としている。この取付体10の支柱４への取付構造は、簡易構造であるから容易に設計実現可能である。図中符号28は固定具23に設けた螺着具24を挿通するための挿通孔、29は支柱ガイド20に設けた螺着具24を螺着するための雌螺子孔である。
【００５１】
次に、本実施例のバッグホルダーＨの使用方法を、図５〜図７を用いて説明する。
【００５２】
図５では、本実施例のバッグホルダーＨをレジカウンター25に接地した場合を示している。
【００５３】
図６は、手提げバッグＢとしてレジ袋Ｂ１を利用した場合を示している。
【００５４】
レジ袋Ｂ１は、手提げ部２のループが比較的小さいため、左右の手提げ部２を掛止部５に掛止すると、レジ袋Ｂ１の左右の手提げ部２の夫々が、掛止した左右の掛止部５方向に引っ張られるような状態となり、これによりレジ袋Ｂ１の上部開口部１も左右の掛止部５方向に引っ張られて開口状態に保持できる。
【００５５】
図７は、手提げバッグＢとしてエコバッグＢ２を利用した場合を示している。
【００５６】
エコバッグＢ２は、手提げ部２のループ径がレジ袋Ｂ１より非常に大きいため、左右の手提げ部２を掛止部５に掛止しても簡単にたるんでしまって上部開口部１を開口状態に保持できない。
【００５７】
そこで、掛止部５に掛けた手提げ部２を更に外方へ引っ張り、その手提げ部２のループ径に応じてループ径が大きいものは下方側の補助掛止部６へ、比較的ループ径が小さいものは上方側の補助掛止部６へと複数の補助掛止部６を選択して掛止することで、手提げ部２のたるみを解消できて上部開口部１を開口状態にして保持できることになる。
【００５８】
尚、本発明は、本実施例に限られるものではなく、各構成要件の具体的構成は適宜設計し得るものである。
【符号の説明】
【００５９】
１  上部開口部
２  手提げ部
３  接地部
４  支柱
５  掛止部
６  補助掛止部
７  掛下腕部
８  滑り止め材
９  クッション材
10  取付体
Ｂ  手提げバッグ
Ｈ  バッグホルダー
【図１】
2010253050.tif 000003
【図２】
2010253050.tif 000004
【図３】
2010253050.tif 000005
【図４】
2010253050.tif 000006
【図５】
2010253050.tif 000007
【図６】
2010253050.tif 000008
【図７】
2010253050.tif 000009